(57)【要約】【課題】任意の水平平面に格子状に配列される複数枚の天井パネルに立体感を与えることができる天井パネルシステムを提供する。【解決手段】天井パネルは、任意の水平平面に取り付ける。天井パネルは、４つの隅部を持つ矩形のフェイス部と、このフェイス部の周縁から後方に向けて延在するスカート部とで構成し、フェイス部に一つ以上のメイン装飾穴を形成し、メイン装飾穴の周縁から後方に向けてメインフランジ部を延在させ、隅部のそれぞれに第１乃至第４サブ装飾穴を形成し、また、第１乃至第４サブ装飾穴のそれぞれの周縁から後方に向けて第１乃至第４サブフランジ部を延在させる。メイン装飾物は、メイン装飾穴にフェイス部から突出するように装着し、補助装飾物は、第１乃至第４サブ装飾穴のそれぞれにフェイス部から突出するように装着する。複数個のクリップは、メインフランジ部とメイン装飾物のスカート部、第１乃至第４サブフランジと補助装飾物のスカート部をそれぞれ固定するように構成する。【選択図】１
2008544120.tif 000002
【特許請求の範囲】
【請求項１】
任意の水平平面に装着されるもので、４個の隅部を持つ矩形のフェイス部と、このフェイス部の周縁から後方に向けて延在しているスカート部とを備え、前記フェイス部に一つ以上のメイン装飾穴が形成され、前記メイン装飾穴の周縁から後方に向けてメインフランジ部が延在し、前記隅部のそれぞれに第１乃至第４サブ装飾穴が形成され、前記第１乃至第４サブ装飾穴のそれぞれの周縁から後方に向けて第１乃至第４サブフランジ部が延在している天井パネルと、
前記天井パネルのメイン装飾穴に前記フェイス部から突出するように装着されるもので、フェイス部と、該フェイス部の周縁から後方に向けて延在するスカート部とを有するメイン装飾物と、
前記第１乃至第４サブ装飾穴のそれぞれに前記天井パネルのフェイス部から突出するように装着されるもので、フェイス部と、該フェイス部の周縁から後方に向けて延在するスカート部とを有する補助装飾物と、
前記メインフランジ部と前記メイン装飾物のスカート部、前記第１乃至第４サブフランジと前記補助装飾物のスカート部をそれぞれを固定する固定手段と、
からなる、天井パネルシステム。
【請求項２】
前記天井パネルのフェイス部の周縁に、前記補助装飾物が装着される第５乃至第８サブ装飾穴が形成されており、前記補助装飾物のスカート部が前記固定手段によって固定されるように、前記第５乃至第８サブ装飾穴のそれぞれの周縁から後方に向けて第５乃至第８サブフランジ部が延在している、請求項１に記載の天井パネルシステム。
【請求項３】
前記メイン装飾穴は、前記天井パネルのフェイス部に４つ形成されており、前記天井パネルのフェイス部の中央に、前記補助装飾物が装着されるように第９サブ装飾穴が形成されており、前記補助装飾物のスカート部が前記固定手段によって固定されるように、前記第９サブ装飾穴の周縁から後方に向けて第９サブフランジ部が延在している、請求項２に記載の天井パネルシステム。
【請求項４】
前記固定手段は、前記メインフランジ部と前記メイン装飾物のスカート部、前記第１乃至第９サブフランジと前記補助装飾物のスカート部をそれぞれを挟持して固定する複数個のクリップからなる、請求項３に記載の天井パネルシステム。
【請求項５】
前記クリップのそれぞれは、
前記メインフランジ部と前記メイン装飾物のスカート部、前記第１乃至第９サブフランジと前記補助装飾物のスカート部をそれぞれ挟持するように、相互に所定の間隔で離れており且つ弾性力を持つ第１弾性片及び第２弾性片と、
前記第１弾性片と前記第２弾性片の上端を連結する連結部と、
から構成される、請求項４に記載の天井パネルシステム。
【請求項６】
前記メインフランジ部と前記第１乃至第９サブフランジ部のそれぞれに複数個の結合穴が形成されており、前記メイン装飾物のスカート部と前記補助装飾物のスカート部のそれぞれに、前記結合穴と整合するように結合溝を持つ複数個の突起が形成されており、前記第１弾性片の内面に、前記結合穴を通って前記突起のそれぞれの結合溝に挿嵌する係止突片が形成されている、請求項５に記載の天井パネルシステム。
【請求項７】
前記メイン装飾物のスカート部と前記補助装飾物のスカート部のそれぞれに形成されている前記突起が係合するように、前記第２弾性片の内面に係合溝が形成されている、請求項６に記載の天井パネルシステム。
【請求項８】
前記固定手段は、前記メインフランジ部と前記メイン装飾物のスカート部、前記第１乃至第９サブフランジと前記補助装飾物のスカート部をそれぞれ固着する複数枚のスプリングプレートからなる、請求項３に記載の天井パネルシステム。
【請求項９】
前記スプリングプレートのそれぞれの上端は、前記メインフランジ部と前記第１乃至第９サブフランジ部の内面上部にそれぞれ結合されており、前記メインフランジ部の内面と前記スプリングプレートの内面間、前記第１乃至第９サブフランジ部の内面と前記スプリングプレートの内面間に、前記メイン装飾物のスカート部と前記補助装飾物のスカート部がそれぞれ挟持される、請求項８に記載の天井パネルシステム。
【請求項１０】
第１乃至第８サブ装飾穴の両側に続くように前記天井パネルの周縁に１対のスリットが形成されており、前記補助装飾物のスカート部の上端に前記スリットのそれぞれに整合される複数の切り欠き部が形成されている、請求項２に記載の天井パネルシステム。
【請求項１１】
前記天井パネルは、４枚が相互に隣接して取り付けられており、前記４枚の天井パネルを結びつけるように前記４枚の天井パネルの第１乃至第４サブ装飾穴に１個の前記補助装飾物が共通して装着されている、請求項１０に記載の天井パネルシステム。
【請求項１２】
前記天井パネルは、２枚が相互に隣接して取り付けられており、前記２枚の天井パネルを結びつけるように、前記２個の天井パネルの第５乃至第８サブ装飾穴のうち、相互に隣接する２個のサブ装飾穴に１個の前記補助装飾物が共通して装着されている、請求項１０に記載の天井パネルシステム。
【請求項１３】
前記天井パネルは、２枚が相互に隣接して取り付けられており、前記２枚の天井パネルのスカート部を重畳状態に固定する複数本のキャリングチャンネルが、前記２枚の天井パネルの上方に相互に並んで装着されている、請求項１に記載の天井パネルシステム。
【請求項１４】
前記２枚の天井パネルのスカート部の内面に複数個の突起が形成されており、前記キャリングチャンネルは、前記突起を挟持して固定する第１弾性板部と第２弾性板部を持つ、請求項１３に記載の天井パネルシステム。
【発明の詳細な説明】
【技術分野】
【０００１】
本発明は、天井パネルシステムに係り、より詳細には、任意の水平平面に格子状に配列される複数枚の天井パネルに立体感を与えることができる天井パネルシステムに関する。
【背景技術】
【０００２】
建物、地下鉄の駅舎、工場などの天井には、ケーブル、ダクト、パイプなどを隠すためにアクセスシーリング（Ａｃｃｅｓｓ  ｃｅｉｌｉｎｇ）を施工しており、該アクセスシーリングの空間は、天井パネル、ボード（Ｂｏａｒｄ）などの様々な仕上げ材で仕上げている。天井パネルの堅固な設置のためには、ねじ・ボルトの締結や溶接によってその上層の構造物に完全に固定させなければならない。しかしながら、天井パネルの締結や溶接による設置作業には、労力と時間が多くかかり、配管及び配線の保守が随時行われなければならない地下鉄の駅舎などのアクセスシーリングには不向きだった。
【０００３】
米国特許第５，６０３，１９３号、第６，２０５，７３３号、第６，２３０，４６３号等の多くの文献には、天井構造物上の任意の水平平面に複数枚の天井パネルを設置するための技術が開示されている。これらの文献に記載の技術は、天井構造物に複数個のグリッド（Ｇｒｉｄ）が設置されており、これらのグリッドには矩形の天井パネルが格子紋（Ｃｒｏｓｓ  ｓｔｒｉｐｅｓ）の形状に固着されている。しかしながら、このような従来技術による天井パネルシステムは、矩形の天井パネルが任意の水平平面に格子状に単調に配列され、装飾性に欠けるという問題があった。
【０００４】
一方、天井パネルは、木板（Ｗｏｏｄｅｎ  ｐｌａｔｅ）、合板、石膏板、金属板等、様々な素材で製作されている。地下鉄の駅舎、工場のアクセスシーリング用の天井パネルには、振動及び衝撃が持続して与えられるので、天井パネルの素材は、振動及び衝撃に十分に耐えられるような剛性、耐摩耗性及び耐食性が要求される点から、金属板が主に採用されている。金属板の天井パネルは、板金加工（Ｓｈｅｅｔ  ｍｅｔａｌ  ｗｏｒｋｉｎｇ）によって製作されているが、板金加工の特性からその形状を多様化し難いという問題があった。
【特許文献１】米国特許第５，６０３，１９３号明細書
【特許文献２】米国特許第６，２０５，７３３号明細書
【特許文献３】米国特許第６，２３０，４６３号明細書
【発明の開示】
【発明が解決しようとする課題】
【０００５】
本発明は、上記の問題点を解決するためのもので、その目的は、複数枚の天井パネルが任意の水平平面に格子状に配列されながらも、立体感が与えられて装飾性を向上させることができる天井パネルシステムを提供することにある。
本発明の他の目的は、複数枚の天井パネルのそれぞれに多様な立体感を与えることができる天井パネルシステムを提供することにある。
本発明のさらに他の目的は、単純な構造を有し、簡易に設置できる天井パネルシステムを提供することにある。
【課題を解決するための手段】
【０００６】
上記の目的を達成するための本発明に係る天井パネルシステムは、任意の水平平面に装着されるもので、４個の隅部を持つ矩形のフェイス部と、このフェイス部の周縁から後方に向けて延在しているスカート部とを備え、前記フェイス部に一つ以上のメイン装飾穴が形成され、前記メイン装飾穴の周縁から後方に向けてメインフランジ部が延在し、前記隅部のそれぞれに第１乃至第４サブ装飾穴が形成され、前記第１乃至第４サブ装飾穴のそれぞれの周縁から後方に向けて第１乃至第４サブフランジ部が延在している天井パネルと；前記天井パネルのメイン装飾穴に前記フェイス部から突出するように装着されるもので、フェイス部と、該フェイス部の周縁から後方に向けて延在するスカート部とを有するメイン装飾物と；前記第１乃至第４サブ装飾穴のそれぞれに前記天井パネルのフェイス部から突出するように装着されるもので、フェイス部と、該フェイス部の周縁から後方に向けて延在するスカート部とを有する補助装飾物と；前記メインフランジ部と前記メイン装飾物のスカート部、前記第１乃至第４サブフランジと前記補助装飾物のスカート部をそれぞれを固定する固定手段と；からなる構成とした。
【発明を実施するための最良の形態】
【０００７】
以下、本発明に係る天井パネルシステムの好適な実施例を、添付の図面に基づいて詳細に説明する。
まず、図１乃至図９を参照すると、本発明の天井パネルシステムは、建物、地下鉄の駅舎、工場などの天井に、例えば、アクセスシーリングを提供するために互いに隣接して取り付けられている複数枚の天井パネル１０を備え、これらのパネル１０は、任意の水平平面に格子状に配列されている。これらの天井パネル１０は、金属板を素材とし、板金加工によって製作される。各天井パネル１０は、４個の隅部(Ｃｏｒｎｅｒ  ｐｏｒｔｉｏｎ)１２を持つ矩形フェイス部（Ｆａｃｅ  ｐｏｒｔｉｏｎ）１４と、このフェイス部１４の周縁から後方に延在するスカート部（Ｓｋｉｒｔ  ｐｏｒｔｉｏｎ）１６とで構成されている。
【０００８】
図６乃至図９に示すように、各天井パネル１０のフェイス部１４には、１つ以上のメイン装飾穴（Ｍａｉｎ  ｄｅｃｏｒａｔｉｏｎ  ｈｏｌｅ）１８が形成されており、メイン装飾穴１８の周縁から後方に向けてメインフランジ部（Ｍａｉｎ  ｆｌａｎｇｅ  ｐｏｒｔｉｏｎ）２０が延在している。図８及び図９では、メイン装飾穴１８がフェイス部１４の中央を基準に４個が四方に形成されているが、メイン装飾穴１８の個数及び位置は必要に応じて適宜加減すれば良く、メイン装飾穴はフェイス部１４の中央に１個のみ形成される。図８及び図９では、各天井パネル１０のメイン装飾穴１８が八角形に形成されているが、これに限定されず、メイン装飾穴１８は、円形、楕円形、三角形、矩形、五角形、六角形など、様々な形状にすることができる。
【０００９】
図６、図８及び図９に示すように、天井パネル１０のフェイス部１４の４隅部１２には、第１乃至第４サブ装飾穴２２ａ〜２２ｄがそれぞれ形成されており、フェイス部１４の４縁部の中央には第５乃至第８サブ装飾穴２２ｅ〜２２ｈがそれぞれ形成されている。第１乃至第８サブ装飾穴２２ａ〜２２ｈのそれぞれの周縁から後方に向かって第１乃至第８サブフランジ部２４ａ〜２４ｈが延在してある。図８及び図９には、第１乃至第８サブ装飾穴２２ａ〜２２ｈの形状を三角形にした例が示されている。４枚の天井パネル１０が互いに隣接している場合、４枚の天井パネル１０の第１乃至第４サブ装飾穴２２ａ〜２２ｄは、底面から見ると全体的に矩形となる。２枚の天井パネル１０が互いに隣接している場合、２枚の天井パネル１０の第５乃至第８サブ装飾穴２２ｅ〜２２ｈは、底面から見ると全体的に矩形を形成する。第１乃至第８サブ装飾穴２２ａ〜２２ｈのそれぞれの形状は、半円型、半楕円形、五角形、六角形、八角形など様々にすることができる。
【００１０】
フェイス部１４の中央には、第９サブ装飾穴２２ｉが形成されており、第９サブ装飾穴２２ｉの周縁から後方に第９サブフランジ部２４ｉが延在している。図８及び図９では、第９サブ装飾穴２２ｉが矩形に形成されているが、これに限定されず、第９サブ装飾穴２２ｉは、半円型、半楕円形、五角形、六角形、八角形など、様々な形状にすることができる。
【００１１】
図２〜図６、図８及び図９を参照すると、スカート部１６の４隅部のそれぞれには、切り欠き部２６が形成されており、スカート部１６の下部には、第１乃至第８サブ装飾穴２２ａ〜２２ｈのそれぞれの両側に続く１対のスリット（Ｓｌｉｔ）２８ａ，２８ｂが形成されている。スカート部１６の内面に、複数個の突起３０が形成されている。これらの突起３０は、エンボシング（Ｅｍｂｏｓｓｉｎｇ）によって形成されることができる。メインフランジ部２０には、複数個の結合穴３２が形成され、第１乃至第９サブフランジ部２４ａ〜２４ｉのそれぞれには一つ以上の結合穴３４が形成されている。
【００１２】
図１乃至図７を参照すると、各天井パネル１０のメイン装飾穴１８にはフェイス部１４の前方に突出するようにメイン装飾物（Ｍａｉｎ  ｄｅｃｏｒａｔｉｏｎｓ）４０が取り付けられる。メイン装飾物４０は、天井パネル１０と同様に、金属板を素材とし、板金加工によって製作されるか、合成樹脂を素材とし、射出成形によって製作されると良い。メイン装飾物４０は、天井パネル１０のメイン装飾穴１８と同形状を持つフェイス部４２と、このフェイス部４２の周縁から後方に延在しているスカート部４４とで構成されている。なお、スカート部４４の内面には複数個の突起４６が形成されている。これらの突起４６は、エンボシングによって形成されることができる。このような突起４６の形成のためのエンボシングによって、スカート部４４の外面には結合溝４８が形成される。
【００１３】
図１、図４〜図７、図１０及び図１１を参照すると、各天井パネル１０の第１乃至第９サブ装飾穴２２ａ〜２２ｉのそれぞれに、補助装飾物５０が取り付けられる。補助装飾物５０は、天井パネル１０及びメイン装飾物４０と同様に、金属板を素材とし、板金加工によって製作されるか、合成樹脂を素材とし、射出成形によって製作されると良い。補助装飾物５０は、フェイス部５２と、このフェイス部５２の周縁から後方に延在しているスカート部５４とで構成される。スカート部５４の内面に、複数個の突起５６が形成されている。これらの突起５６は、エンボシングによって形成されることができる。このような突起５６の形成のためのエンボシングによって、スカート部５４の外面には結合溝５８が形成される。
【００１４】
スカート部５４の隅部上端には、天井パネル１０のスリット２８ａ，２８ｂのそれぞれと整合（ａｌｉｇｎｍｅｎｔ）可能なように４個の切り欠き部６０が形成されている。天井パネル１０のスリット２８ａ，２８ｂに、補助装飾物５０の４個の切り欠き部６０のうち２個の切り欠き部６０が整合されることによって、天井パネル１０の第１乃至第８サブフランジ部２４ａ〜２４ｈのそれぞれに補助装飾物５０のスカート部５４が重なる状態に、第１乃至第８サブ装飾穴２２ａ〜２２ｈに補助装飾物５０が取り付けられる。
【００１５】
図１〜図６、図１０及び図１１を参照すると、本発明の天井パネルシステムは、天井パネル１０のメインフランジ部２０とメイン装飾物４０のスカート部４４、天井パネル１０の第１乃至第９サブフランジ部２４ａ〜２４ｉと補助装飾物５０のスカート部５４をそれぞれ固定する固定手段として複数個のクリップ(Ｃｌｉｐ)７０を備える。各クリップ７０は、所定の間隔に離れており且つ弾性力を持つ第１弾性片７２と第２弾性片７４を有し、この第１及び第２弾性片７２，７４の上端は、連結片７６によって連結されている。第１弾性片７６の内面には、メインフランジ部２０の各結合穴３２と第１乃至第９サブフランジ部２４ａ〜２４ｉの各結合穴３４に挿入される係止突片７８が形成されている。なお、第２弾性片７４の内面には、係合溝８０が形成されている。
【００１６】
図１乃至図３を参照すると、本発明の天井パネルシステムは、天井パネル１０の設置のためのフレーム１００を備える。フレーム１００は、複数本のクリップバー（Ｃｌｉｐ  ｂａｒ)１１０、複数本のキャリングチャンネル（Ｃａｒｒｙｉｎｇ  ｃｈａｎｎｅｌ)１２０、複数個のジョイントクリップ（Ｊｏｉｎｔ  ｃｌｉｐ)１３０、複数個のハンガー(Ｈａｎｇｅｒ)１４０及び複数個のアンカーボルト（Ａｎｃｈｏｒ  ｂｏｌｔ）１５０で構成されている。
【００１７】
各クリップバー１１０は、隣接する２枚の天井パネル１０のスカート部１６を固定するように、天井パネル１０の上方に相互平行に取り付けられている。各クリップバー１１０は、相互接しており且つ弾性力を持つ１対の弾性板部１１２，１１４を備え、これらの間に２枚の天井パネル１０のスカート部１６を挟持し、なお、これらの弾性板部１１２，１１４の上端を連結する連結板部１１６を備えている。なお、連結板部１１６の両側には１対の係止突起１１８が形成されている。
【００１８】
複数本のキャリングチャンネル１２０は、クリップバー１１０の上方にクリップバー１１０と交差して取り付けられており、各キャリングチャンネル１２０は相互に並んで配列されている。クリップバー１１０とキャリングチャンネル１２０はジョイントクリップ１３０によって結合される。すなわち、ジョイントクリップ１３０はキャリングチャンネル１２０にねじ１３４で締付けられる一方、両側下端部に１対のフック（Ｈｏｏｋ）１３２を有し、これらのフック１３２がクリップバー１１０の係止突起１１８と係合される。キャリングチャンネル１２０には複数個のハンガー１４０が取り付けられており、ハンガー１４０は複数個のアンカーボルト１５０にそれぞれに結合されている。アンカーボルト１５０は、天井構造物１６０、例えば、コンクリートスラブ（Ｃｏｎｃｒｅｔｅ  ｓｌａｂ）に取り付けられている。アンカーボルト１５０の代わりに、天井構造物１６０に固定されるアンカーワイヤー（Ａｎｃｈｏｒ  ｗｉｒｅ）にしても良い。あるいは、アンカーボルトまたはアンカーワイヤーを使用せず、キャリングチャンネル１２０は天井構造物１６０にねじ・ボルトの締結または溶接などによって直接固定しても良い。
【００１９】
次に、上記のような構成を持つ本発明による天井パネルシステムの作用について説明する。
図１乃至図３を参照すると、作業者は、天井パネル１０の設置のために天井構造物１６０にアンカーボルト１５０を締め付け、アンカーボルト１５０にハンガー１４０を固定する。その後、ハンガー１４０にキャリングチャンネル１２０を垂設し、キャリングチャンネル１２０にジョイントクリップ１３０をねじ１３４で締め付ける。続いて、ジョイントクリップ１３０のフック１３２にクリップバー１１０の係止突起１１８を引掛け、キャリングチャンネル１２０にクリップバー１１０を交差状態に結合させる。
【００２０】
図２乃至図５を参照すると、作業者は、天井パネル１０のメイン装飾穴１８にメイン装飾物４０をそれぞれはめ込み、このとき、メイン装飾物４０はフェイス部１４の前方に突出するように装着される。メインフランジ部２０の上端にスカート部４４の上端を一致させ、天井パネル１０の上方からメインフランジ部２０とスカート部４４にクリップ７０を結合させる。クリップ７０の第１及び第２弾性片７２，７４間にメインフランジ部２０とスカート部４４が挟まると、第１及び第２弾性片７２，７４は弾性復原力によって復元されつつメインフランジ部２０とスカート部４４を固着させる。このとき、第１弾性片７２の係止突片７８は、結合穴３２を通って結合溝４８に挿嵌され、第２弾性片７４の係合溝８０には突起４６が係合される。したがって、天井パネル１０のメイン装飾穴１８にはめ込まれるメイン装飾物４０が、クリップ７０の結合によって固着される。一方、メイン装飾物４０は、各天井パネル１０のメイン装飾穴１８のそれぞれにスポット溶接（Ｓｐｏｔ  ｗｅｌｄｉｎｇ）、ボールティング（Ｂｏｌｔｉｎｇ）、リベット打ち（Ｒｉｖｅｔｉｎｇ）などの固定手段によって取り付けられても良い。
【００２１】
図１１を参照すると、補助装飾物５０はフェイス部１４の前方に突出するように天井パネル１０の第９サブ装飾穴２２ｉにはめ込まれる。このため、第９サブフランジ部２４ｉの上端にスカート部５４の上端を一致させ、天井パネル１０の上方から第９サブフランジ部２４ｉとスカート部５４にクリップ７０を結合させる。クリップ７０の第１及び第２弾性片７２，７４間に第９サブフランジ部２４ｉとスカート部５４が挟まると、第１及び第２弾性片７２，７４は弾性復原力によって復元されつつ第９サブフランジ部２４ｉとスカート部５４を固着させる。第１弾性片７２の係止突片７８は、結合穴３４を通って結合溝５８に挿嵌され、第２弾性片７４の係合溝８０には突起５６が係合される。したがって、天井パネル１０の第９サブ装飾穴２２ｉにはめ込まれた補助装飾物５０がクリップ７０よって固着される。
【００２２】
図２及び図３を参照すると、２枚の天井パネル１０のスカート部１６が重畳状態にクリップバー１１０の弾性板部１１２，１１４の間に挟持される。２枚の天井パネル１０のスカート部１６がクリップバー１１０の弾性板部１１２，１１４間に挟まる際に、弾性板部１１２，１１４は両方に広まりながら、２個重なり合っているスカート部１６の進入を円滑にする。弾性板部１１２，１１４の間にスカート部１６の突起３０が挟まると、弾性板部１１２，１１４の末端が弾性復原力によって復元されつつスカート部１６の突起３０は弾性板部１１２，１１４の間に固着される。このとき、クリップバー１１０は天井パネル１０の切り欠き部２６に位置する。このように、２枚の天井パネル１０のスカート部１６をクリップバー１１０に固定することで、天井パネル１０を任意の水平平面に前後左右に連続して装着することができる。
【００２３】
図６及び図７に示すように、相互に隣接している４枚の天井パネル１０の第１乃至第４サブ装飾穴２２ａ〜２２ｄのそれぞれに補助装飾物５０を共通して装着する。図４、図８及び図１０を参照すると、補助装飾物５０が第１乃至第４サブ装飾穴２２ａ〜２２ｄにはめ込まれるとき、天井パネル１０のスリット２８ａ，２８ｂに補助装飾物５０の切り欠き部６０が整合され、第１乃至第４サブフランジ部２４ａ〜２４ｄの上端にスカート部５４の上端が一致する。第１乃至第４サブフランジ部２４ａ〜２４ｄとスカート部５４は、前述の第９サブフランジ部２４ｉとスカート部５４と同様に、クリップ７０の第１及び第２弾性片７２，７４間に挟持される。一方、補助装飾物５０は、天井パネル１０の第１乃至第９サブ装飾穴２２ａ〜２２ｉのそれぞれに、スポット溶接、ボールティング、リベット打ちのような固定手段で固着されても良い。
【００２４】
図６及び図７に示すように、相互に隣接している２枚の天井パネル１０の第５乃至第８サブ装飾穴２２ｅ〜２２ｈのそれぞれに、補助装飾物５０を共通して装着する。図４、図８及び図１０を参照すると、補助装飾物５０が第５乃至第８サブ装飾穴２２ｅ〜２２ｈに嵌まり込むとき、天井パネル１０のスリット２８ａ，２８ｂに補助装飾物５０の切り欠き部６０が整合され、第５乃至第８サブフランジ部２４ｅ〜２４ｈの上端にスカート部５４の上端が一致する。第５乃至第８サブフランジ部２４ｅ〜２４ｈのそれぞれとスカート部５４は、クリップ７０の第１及び第２弾性片７２，７４間に堅固に挟持される。
【００２５】
このように、複数枚の天井パネル１０がフレーム１００のキャリングチャンネル１１０に任意の水平平面から突出するように取り付けられ、天井パネル１０のそれぞれのフェイス部１４にメイン装飾物４０が突設され、天井パネル１０の各境界に補助装飾物５０が装着される構造によって、天井パネル１０が任意の水平平面に格子状に配列されながらも、天井パネル１０から突出したメイン装飾物４０と補助装飾物５０によって立体感が与えられ、装飾性が大きく向上する。また、メイン装飾物４０と補助装飾物５０がクリップ７０によって天井パネル１０に結合される単純な構造によって簡易に設置され、作業性が向上する。
【００２６】
図１２には、本発明の天井パネルシステムにおいて、天井パネルにメイン装飾物が、他の固定手段としてスプリングプレートによって固定された例を示す。図１２を参照すると、天井パネル１０のメインフランジ部２０の内面上部に複数のスプリングプレート（Ｓｐｒｉｎｇ  ｐｌａｔｅ）１７０が装着されている。スプリングプレート１７０の上端はメインフランジ部２０にリベット１７２によって結合されている。或いは、スプリングプレート１７０の上端はスポット溶接によってメインフランジ部２０に固定されても良い。スプリングプレート１７０は、メインフランジ部２０の内面とスプリングプレート１７０の内面との間に、メイン装飾物４０のスカート部４４が挟み込まれる第１結合溝１７４が形成されるように折り曲げられている。スプリングプレート１７０の下部には、メイン装飾物４０の突起４６が係合される第２結合溝１７６が形成されている。
【００２７】
天井パネル１０のメイン装飾穴１８にメイン装飾物４０のスカート部４４をはめ込むと、スカート部４４の上端が、メインフランジ部２０の内面とスプリングプレート１７０の内面間の第１結合溝１７４に結合される。このとき、スプリングプレート１７０の下端は、弾性変形によってメインフランジ部２０の内面から離れながらスカート部４４の進入を円滑にさせる。スプリングプレート１７０の第２結合溝１７６にメイン装飾物４０の突起４６が係合されると、スプリングプレート１７０は弾性復原力によって復元されつつ天井パネル１０のメインフランジ部２０にメイン装飾物４０のスカート部４４を付勢して固着させる。
【００２８】
このように、スプリングプレート１７０が天井パネル１０のメインフランジ部２０に取り付けられ、天井パネル１０のメイン装飾穴１８に嵌まり込むメイン装飾物４０を固定する構造にすると、天井パネル１０のメインフランジ部２０とメイン装飾物４０のスカート部４４をクリップ７０にて結合する構造に比べてメイン装飾物４０の装着をより容易にすることができる。
【００２９】
一方、図１３に示すように、スプリングプレート１７０は、天井パネル１０の第１乃至第９サブフランジ部２４ａ〜２４ｉの内面にも装着されている。補助装飾物５０は、天井パネル１０の第１乃至第９サブ装飾穴２２ａ〜２２ｉに嵌着される。このとき、補助装飾物５０のスカート部５４は、第１乃至第９サブフランジ部２４ａ〜２４ｉの内面とスプリングプレート１７０間の第１結合溝１７４に挟み込まれ、スプリングプレート１７０の第２結合溝１７６には補助装飾物５０の突起５６が係合される。
【００３０】
以上では具体的な実施例に挙げて本発明を説明してきたが、これらの具体例に本発明の権利範囲が限定されることはない。したがって、本発明の技術的思想と特許請求の範囲内で、当該分野の当業者によって様様な変更、変形または置換が可能であり、これらの実施例も本発明の範囲に属するものとして理解すべきである。
【産業上の利用可能性】
【００３１】
以上で説明したように、本発明に係る天井システムによれば、複数枚の天井パネルが任意の水平平面に格子状に配列されながらも、天井パネルのフェイス部にメイン装飾物と補助装飾物が突出して取り付けられるため、立体感が与えられ、装飾性を向上させることが可能になる。また、複数枚の天井パネルのそれぞれに装着されるメイン装飾物と補助装飾物の形状を多様化して立体感を付与でき、かつ、メイン装飾物と補助装飾物を天井パネルにクリップのような単純な構造によって簡易に取り付けることが可能になる。
【図面の簡単な説明】
【００３２】
【図１】本発明によるシステムの全体構成を示す斜視図である。
【図２】本発明のシステムにおいて、天井パネルとフレームの構成を部分的に示す断面図である。
【図３】本発明のシステムにおいて、天井パネル、メイン装飾物、クリップ、クリップバーが結合されている構成を部分的に拡大して示す断面図である。
【図４】本発明のシステムにおいて、天井パネル、メイン装飾物、補助装飾物及びクリップの構成を示す斜視図である。
【図５】図４のＶ−Ｖ線断面図である。
【図６】本発明のシステムにおいて、４枚の天井パネルが互いに隣接している構成の一例を示す平面図である。
【図７】本発明のシステムで４枚の天井パネルが互いに隣接している構成の一例を示す底面図である。
【図８】本発明のシステムにおいて、天井パネルの構成を示す斜視図である。
【図９】本発明のシステムにおいて、天井パネルの構成を示す底面斜視図である。
【図１０】本発明のシステムにおいて、補助装飾物の構成を示す斜視図である。
【図１１】本発明のシステムにおいて、天井パネル、補助装飾物及びクリップの構成を部分的に拡大して示す断面図である。
【図１２】本発明のシステムにおいて、天井パネルにメイン装飾物がスプリングプレートによって固定されている構成を部分的に示す断面図である。
【図１３】本発明のシステムにおいて、天井パネルに補助装飾物がスプリングプレートによって固定されている構成を部分的に示す断面図である。
【図１】
2008544120.tif 000003
【図２】
2008544120.tif 000004
【図３】
2008544120.tif 000005
【図４】
2008544120.tif 000006
【図５】
2008544120.tif 000007
【図６】
2008544120.tif 000008
【図７】
2008544120.tif 000009
【図８】
2008544120.tif 000010
【図９】
2008544120.tif 000011
【図１０】
2008544120.tif 000012
【図１１】
2008544120.tif 000013
【図１２】
2008544120.tif 000014
【図１３】
2008544120.tif 000015
【国際調査報告】
2008544120.tif 000016
2008544120.tif 000017